(57)【特許請求の範囲】
【請求項１】
温度監視対象の適宜部位に設置した複数の温度センサと、受信した温度情報を元に前記温度監視対象の温度を表示するディスプレイを備えた温度表示装置と、前記温度センサから出力される温度情報を受けて通信ネットワークを介して前記温度表示装置に温度情報を送信する少なくとも１台のネットワーク監視装置とを有する温度分布監視装置であって、
前記温度表示装置は、監視対象のレイアウト図を記憶したレイアウト記憶部と、前記温度センサの設置場所を記憶したセンサマップ記憶部と、温度と色を関係付けた温度−色記憶部と、受信した温度情報に基づいて対応する色を前記ディスプレイに表示する温度表示制御手段とを有し、
前記温度表示制御手段は、個々の温度センサが測定した温度に対応する色で温度センサの場所を中心に所定の範囲を塗布した画像を、前記レイアウト図に重ねて前記ディスプレイに表示し、温度表示した所定の範囲同士が重なる場合は、重なる部位を夫々の色を合わせて表示することを特徴とする温度分布監視装置。
【請求項２】
温度を色で表示する範囲は、温度センサを中心とする所定の半径の円であることを特徴とする請求項１記載の温度分布監視装置。
【発明の詳細な説明】
【技術分野】
【０００１】
本発明は、複数の場所の温度を測定し、フロア等の空間の温度分布を監視する温度分布監視装置に関する。
【背景技術】
【０００２】
オフィスや工場内、或いは電子機器を収納したラック内の温度を複数ヶ所測定し、コンピュータのディスプレイ上に測定した温度の分布を表示して温度を遠隔管理する装置がある。例えば、特許文献１では、通信ネットワークを介して情報を出力するネットワーク監視装置を使用して、監視対象に設置された温度センサから入手した温度情報を、パケット通信によりインターネット等を介してコンピュータに温度情報を送信し、受信した温度情報を基に温度分布をコンピュータがディスプレイに表示するよう構成されている。
一方で、電子部品を半田付けする際に基板の温度分布を管理するために、特許文献２に示すように数百個の温度センサとカメラを使用して、コンピュータ処理により等温線を作成し、この等温線を用いて２次元でディスプレイに表示する装置が提案されている。
【先行技術文献】
【特許文献】
【０００３】
【特許文献１】特開２００８−１０７９７６号公報
【特許文献２】特開平１０−５１１２７号公報
【発明の概要】
【発明が解決しようとする課題】
【０００４】
しかしながら、上記特許文献１の温度情報の表示形態は、ネットワーク監視装置の接続順で表示され、物理的に配置された温度センサの位置とは関係なく表示されていたため、フロア全体やラック内の温度分布を測定しても、温度センサを設置した場所の個々の点の温度がわかるだけで、測定対象全体の温度分布をイメージしづらかった。
また、特許文献２に開示されている技術は、測定対象全体の温度分布を把握し易いが、この技術をフロア等の広いエリアの温度管理に適用すると、必要な温度センサの数が膨大となるし、カメラも必要となるため現実的ではなかった。
【０００５】
そこで、本発明はこのような問題点に鑑み、少ない数の温度センサによりフロア等の温度分布を視覚的に監視することが可能な温度分布監視装置を提供することを目的としている。
【課題を解決するための手段】
【０００６】
上記課題を解決する為に、請求項１の発明は、温度監視対象の適宜部位に設置した複数の温度センサと、受信した温度情報を元に前記温度監視対象の温度を表示するディスプレイを備えた温度表示装置と、前記温度センサから出力される温度情報を受けて通信ネットワークを介して前記温度表示装置に温度情報を送信する少なくとも１台のネットワーク監視装置とを有する温度分布監視装置であって、前記温度表示装置は、監視対象のレイアウト図を記憶したレイアウト記憶部と、前記温度センサの設置場所を記憶したセンサマップ記憶部と、温度と色を関係付けた温度−色記憶部と、受信した温度情報に基づいて対応する色を前記ディスプレイに表示する温度表示制御手段とを有し、前記温度表示制御手段は、個々の温度センサが測定した温度に対応する色で温度センサの場所を中心に所定の範囲を塗布した画像を、前記レイアウト図に重ねて前記ディスプレイに表示し、温度表示した所定の範囲同士が重なる場合は、重なる部位を夫々の色を合わせて表示することを特徴とする。
この構成によれば、測定対象のレイアウト図上に温度が２次元で表示され、且つ点ではなく所定の範囲を温度に応じて変化する色で染めた面で表示されるので、視覚的に温度分布を把握し易い。その結果、少ない温度センサでも測定対象の温度分布を的確に判断することが可能となる。
【０００７】
また、等温線を演算して表示する等の複雑な工程を経なくても温度センサ間の温度分布状態を把握し易い。
【０００８】
請求項２の発明は、請求項１に記載の構成において、温度を色で表示する範囲は、温度センサを中心とする所定の半径の円であることを特徴とする。
この構成によれば、簡易な演算で温度を面で表示できるし、センサ間の温度分布も把握し易い。
【発明の効果】
【０００９】
本発明によれば、測定対象のレイアウト図上に温度が２次元で表示され、且つ点ではなく所定の範囲を温度に応じて変化する色で染めた面で表示されるので、視覚的に温度分布を把握し易い。その結果、少ない温度センサでも測定対象の温度分布を的確に判断することが可能となる。
【図面の簡単な説明】
【００１０】
【図１】本発明に係る温度分布監視装置の一例を示す構成図である。
【図２】温度表示装置のディスプレイが表示する温度表示画面の説明図である。
【発明を実施するための形態】
【００１１】
以下、本発明を具体化した実施の形態を、図面に基づいて詳細に説明する。図１は本発明に係る温度分布監視装置の一例を示す構成図であり、１は温度センサ、２はネットワーク監視装置、３は温度表示装置を示している。
【００１２】
この例ではフロアの温度分布を監視する場合を示し、温度センサ１はフロア内に複数設置され、同様にフロアに設置されているネットワーク管理装置２に通信線Ｌ１を介して接続されている。ネットワーク監視装置２は、温度センサ１の数に応じて１台或いは複数台設置される。
このネットワーク監視装置２はインターネットＮに接続され、同様にインターネットＮに接続された温度表示装置３と通信が可能となっている。温度センサ１からネットワーク監視装置２への温度情報の伝送は、アナログ或いはデジタルで実施され、ネットワーク監視装置２と温度表示装置３との通信は、例えばＳＮＭＰ等の公知の通信プロトコルに基づき実施される。
【００１３】
温度表示装置３は、図１に示すように温度分布を表示するためのディスプレイ１１、各種表示情報を記憶する表示情報記憶部１２、温度表示装置３全体を制御するＣＰＵ１３、インターネットＮを介してネットワーク監視装置２と通信するためのインターフェース１４等を備えている。表示情報記憶部１２は、監視対象のフロア等のレイアウト図を記憶するレイアウト記憶部１２ａ、温度センサ１の配置をレイアウト図に合わせて記憶するセンサマップ記憶部１２ｂ、温度と色の対応表を記憶する温度−色記憶部１２ｃ等で構成されている。この温度表示装置３は、例えばパーソナルコンピュータを使用することができる。
【００１４】
ＣＰＵ１３は、インターネットＮを介してネットワーク監視装置２から入手した個々の温度センサ１からの温度情報を色情報に変換し、フロアレイアウト図上に個々の温度センサ１の位置を表示し、温度を表示制御する。
【００１５】
図２は、この時ディスプレイ１１に表示される温度分布の一例を示している。図２ではオフィスフロアＦの平面図が表示され、その中に設置された温度センサ１の位置が黒丸Ｍで表示され、温度情報が円で形成された面Ｓで表示された状態を示している。この図２において、５は例えば電子機器を収納したラックであり、監視対象のフロアＦには複数のラック５が設置されており、このラック５の近傍に複数（ここでは、２６個）の温度センサ１が設置されて発熱し易いラック５の温度を監視している様子を示している。尚、６は机、７は壁、８はドアである。
【００１６】
具体的にＣＰＵ１３は、温度センサ１が検知した温度情報を色変換し、例えば半径１メートルの円（画面上では１０ｍｍ程度）でレイアウト図上に表示する。
温度−色記憶部１２ｃは、例えば２０℃未満は濃い青色、２０℃から２５℃未満は薄い青色、２５℃から３０℃未満は黄色、３０℃から３５℃未満は薄い赤色、３５℃以上は濃い赤色に変換するよう記憶され、ＣＰＵ１３は受信した温度情報を対応する色に変換して表示する。また、色の重なっている部位は、双方の色を合わせた色で表示される。
【００１７】
このように、測定対象のレイアウト図上に温度が２次元で表示され、且つ点ではなく所定の範囲を温度に応じて変化する色で染めた面で表示されるので、視覚的に温度分布を把握し易くなる。その結果、測定する温度センサ１の数が少なくても、測定対象の温度分布を的確に判断することが可能となる。
また、面で表示した色が重なる場合は、重なる部位を夫々の色を合わせて表示することで温度分布状態を想像し易くなり、等温線を演算して表示する等の複雑な工程を経なくても温度センサ間の温度分布状態を把握し易い。
更に、温度センサ１を中心とする所定の半径の円で温度を表示することで、簡易な演算で温度を面で表示できる。
【００１８】
尚、上記実施形態では、５℃刻みで色を変えて表示しているが、この温度と色の相間は任意であり、１℃刻みで色を変化させても良い。また、塗りつぶすエリアも１メートルである必要はなく５０ｃｍであっても２メートルであっても良いし、形状も円でなく四角形であっても良い。
また、フロアの温度表示を例に説明したが、工場や店舗内の温度分布の監視にも適用できるし、電子機器を収納したラック内の温度分布を監視する装置としても適用することができる。
【符号の説明】
【００１９】
１・・温度センサ、２・・ネットワーク監視装置、３・・温度表示装置、１１・・ディスプレイ、１２・・表示情報記憶部、１２ａ・・レイアウト記憶部、１２ｂ・・センサマップ記憶部、１２ｃ・・温度−色記憶部、１３・・温度表示制御手段としてのＣＰＵ、Ｓ・・円で形成された面。
【図１】
0005406061.tif 000002
【図２】
0005406061.tif 000003